(57)【要約】【課題】  安価で確実なタワークレーンのジブのあおり防止装置を提供する。【解決手段】本発明のタワークレーンのジブのあおり防止装置４は、マストｂの頂部に旋回可能に取り付けられた旋回フレームｃと、旋回フレームｃの後端に起伏可能に枢着されたジブｄを有するタワークレーンのジブのあおり防止装置であって、旋廻フレームｃの前端ｃ３付近の両側と、ジブｄの中間ｄ３の両側とをクロスするように連結し、ジブｄの起伏の上限ｄ２で張り詰めた状態になるロープ３と、旋回フレームｃの前端ｃ３から前方に張り出して設けられ、ジブｄが下降したときにたるんだロープ２を下から受けるガード３とからなるものである。上記ガード３の幅は旋回フレームｃの幅よりも広く、ガード３の張り出し長さはガード３の先端からロープ２がたれ下がっても旋回の邪魔にならないような長さである。【選択図】      図３
2005041675.tif 000002
【特許請求の範囲】
【請求項１】
マストの頂部に旋回可能に取り付けられた旋回フレームと、旋回フレームの後端に起伏可能に枢着されたジブを有するタワークレーンのジブのあおり防止装置であって、旋回フレームの前端付近の両側と、ジブの中間の両側とをクロスするように連結し、ジブの起伏の上限で張り詰めた状態になるロープと、旋回フレームの前端から前方に張り出して設けられジブが下降したときにたるんだロープを下から受けるガードとからなるタワークレーンのジブのあおり防止装置。
【請求項２】
上記ガードの幅は旋回フレームの幅よりも広く、ガードの張り出し長さはガードの先端からロープがたれ下がっても旋回の邪魔にならないような長さである請求項1記載のタワークレーンのジブのあおり防止装置。
【発明の詳細な説明】
【技術分野】
【０００１】
本発明は、住宅建設用の小型の自走式タワークレーンに係り、特にジブのあおり防止装置関する。
【背景技術】
【０００２】
都市部では、狭い敷地の有効利用のために、３階建住宅の建設が盛んである。住宅の建設には小型のタワークレーンが必要である。しかし、敷地面積や前面道路幅が狭く、また、道路に沿って架設されている電線や電話線の関係上、トラッククレーンの使用に支障をきたす場合がある。また、道路にトラッククレーンを設置すると、道路を塞いで通行の邪魔になる。
【０００３】
トラッククレーンを敷地内に入れることができても、少なくとも該クレーンの撤退スペースを確保せねばならず、その分だけ建築スペースが削られることになる。したがって、建築断念あるいはトラッククレーンを使用できないために工期が長引く問題を生じる。
【０００４】
ビル建築用の大型タワークレーンは、クレーン自体を建築スペース上にて組み立て、建築の進行に伴って、タワーの高さを高くするものであり、クレーン部品の搬入、組立、分解、搬出等の手間、分解撤去には補助クレーンが必要であること、さらに、住宅の１階の天井は３ｍ以下であるため、クレーン架台等、大型のクレーン部品の搬出が困難であることを考えれば、コスト面および物理的な条件から一般の住宅建設には採用できない。
【０００５】
かかる問題を解決するため、特許文献１に開示された小型の自走式タワークレーンが開発された。図１は特許文献１に開示された自走式タワークレーンの使用状態を示す全体図である。図において、１は自走式タワークレーンである。ａは自走台車であり、ゴムクローラ等の走行手段ｍを有している。ｂはマストであり、油圧によって伸縮可能になっているとともに、油圧シリンダｇによって起伏可能になっている。ｃはマストｂの頂部に回転可能に取り付けられた旋回フレームであり、ジブdを着脱可能に取り付けて使用する。ジブdは複数のブロックに分解可能で、各ブロックは手で持ち運ぶことができる重さになっている。ｅはアウトリガーである。ジブｄは旋回フレームｃの後端に起伏可能に枢着されている。
【０００６】
fは建物の床であり、kは床fに設けられ、マストbが通過する貫通孔である。ｈはウインチｉに連結された吊り上げ用ワイヤ、jはジブdの起伏用油圧シリンダである。
【０００７】
【特許文献１】特許第２９２８５０４号
【０００８】
このような自走式タワークレーン１では、ジブを上げた状態で強風にあおられると、機械の1部が壊れて、ジブｄが後方に倒れる事故を引き起こす虞があり、それを防止するためジブｄのあおり防止装置を取り付ける必要がある。
【０００９】
このようなあおり防止装置として、旋回フレームｃの前端付近の両側とジブｄの中間の両側とを図示しないロープで連結し、ロープはジブの起伏の上限で張り詰めた状態としたものがある。ジブが下降するとロープが弛み旋回フレームｃの前端から垂れ下がるので、旋回フレームが旋回するとロープが引っ掛かったりして機械を壊す虞れがある。
【００１０】
図２はジブのあおり防止装置の他の例を示している。なお、本図において旋回フレームｃの図示は省略している。図において、ｄは起伏可能なジブであり、ｄ１はジブｄの下限の位置、ｄ２はジブの上限の位置を示している。ｐはリミットストッパーであり、鋼管製で、平面視でＨ形をしており、基端はジブｄの中間の位置に枢着されており、先端は自由端になっている。リミットストッパーｐの基端側には緩衝装置としてばねｒが設けられている。ｑはステーである。なお、ｒ１はばねｒが縮んだ状態、ｒ２はばねｒが伸びた状態を示している。ｓは当て板であり旋回フレームｃの後端から張り出して設けられている。
【００１１】
このあおり防止装置は頑丈であり、旋回フレームが旋回するときに邪魔になることはないが、頑丈であるためコストが高いという問題がある。
【００１２】
本発明は従来技術のかかる問題点に鑑み案出されたものであって、構造が簡単で安価であり、しかも、旋回フレームの旋回時に邪魔にならないタワークレーンのジブのあおり防止装置を提供することを目的とする。
【発明の開示】
【課題を解決するための手段】
【００１３】
上記目的を達成するため本発明のタワークレーンのジブのあおり防止装置は、マストの頂部に旋回可能に取り付けられた旋回フレームと、旋回フレームの後端に起伏可能に枢着されたジブを有するタワークレーンのジブのあおり防止装置であって、旋回フレームの前端付近の両側と、ジブの中間の両側とをクロスするように連結し、ジブの起伏の上限で張り詰めた状態になるロープと、旋回フレームの前端から前方に張り出して設けられジブが下降したときにたるんだロープを下から受けるガードとからなるものである。
【００１４】
上記ガードの幅は旋回フレームの幅よりも広く、ガードの張り出し長さはガードの先端からロープがたれ下がっても旋回の邪魔にならないような長さであるのが好ましい。
【発明の効果】
【００１５】
次に本発明の作用と効果を説明する。旋回フレームの前端付近とジブの中間とをロープで連結し、ジブの起伏の上限でロープが張り詰めた状態になるようにしたので、強風にあおられてもロープで引っ張っているので、ジブ後方に倒れる虞がなく、安全性が向上する。ジブが下降し、ロープがたるんだときでも、旋回フレームの前端から前方に張り出して設けられたガードによってたるんだロープを下から受けるので、旋回フレームが旋回するときにたるんだロープが引っ掛かったりすることはない。ロープは正面から見てクロスするように張られているので、たるんだロープが旋回フレームの幅よりもわずかに広いガードからはみ出すこともない。しかも製作のコストは、図２に示すような頑丈なあおり防止装置よりもはるかに安い。
【発明を実施するための最良の形態】
【００１６】
本発明の１実施形態について、図面を参照しつつ説明する。図３は本発明のタワークレーンのジブのあおり防止装置の図面であり、ジブが上限にある状態を示しており、（Ａ）は側面図、（Ｂ）は正面図である。図４はあおり防止装置においてジブが下限にある状態を示す側面図である。これらの図面において、既に説明した図１、図２と共通する部分については同じ符号ををしている。
【００１７】
これらの図において、ｂはマストである。ｃはマストの頂部に、油圧モータにより旋回するように取り付けられた旋回フレームである。ｄはジブであり、旋回フレームｃの後端に、ピンｃ２によって基端が枢着されていて、油圧シリンダｊにより起伏するようになっており、ｄ２は上限の位置を示している．なお、図３、図４は図１に示す自走式タワークレーン１の旋回フレームｃ付近の部分組立図である。
【００１８】
４はタワークレーンのジブのあおり防止装置であり、ロープとガードとからなる。２はロープである。ロープ２は２本のロープ２ａ、２ｂからなる。ロープ２ａは旋回フレームｃの前端ｃ３付近の、正面から見て右側と、ジブｄの中間の所要の位置ｄ３における左側とを連結し、ロープ２ｂは旋回フレームｃの前端ｃ３付近の、正面から見て左側と、ジブｄの中間の所要の位置ｄ３における右側とを連結している。したがって、図３（Ｂ）に示すようにロープ２ａとロープ２ｂとは中間でクロスしている。なお、２ｃはトグルでロープ２ａ、２ｂの両端部と旋回フレームｃおよびジブｄとを連結する治具である。
【００１９】
3は旋回フレームｃの先端から前方に張り出して設けられたガードである。ガード３は鋼製の丸棒を加工して製作したものである。3ａは前脚、３ｂは後脚であり、それぞれ２本からなり下端は旋回フレームｃに固着されている。3ｃはガード３の前後に、左右方向に延在して設けられられ、両端が上方に向いた溝形の横部材であり、３ｄは前後方向を向いて延在して設けられた4本の縦部材であって、横部材３ｃと縦部材３ｄとによって平面視で目の字状に形成されている。前脚３ａと後脚３ｂの上端は４本の縦部材のうちの真ん中の２本の縦部材３ｄに固着されている。3ｅは後方の横部材３ｃの両端付近から後方に延在する平面視で3角形の部材である。
【００２０】
次に実施形態の作用と効果を説明する。旋回フレームｃの前端ｃ３付近とジブｄの中間ｄ３とをロープ２で連結し、ジブｄの起伏の上限ｄ２でロープが張り詰めた状態になるようにしたので、上限ｄ２にあるときに強風にあおられてもロープ２で引っ張っているのでジブｄが後方に倒れる虞がなく、安全性が向上する。ジブｄが下降し、ロープ２がたるんだときでも、旋回フレームｃの前端ｃ３から前方に張り出して設けられたガード３によってたるんだロープ２を下から受けるので、旋回フレームｃが旋回するときにたるんだロープ２が引っ掛かったりすることはない。ロープ２は正面から見てクロスするように張られているので、たるんだロープ２が旋回フレームｃの幅よりもわずかに広いガード３からはみ出すこともない。しかも製作のコストは、図２に示すような頑丈なあおり防止装置よりもはるかに安い。
【００２１】
本発明は以上述べた実施形態に限定されるものではなく、発明の要旨を逸脱しない範囲で種々の変更が可能である。
【図面の簡単な説明】
【００２２】
【図１】自走式タワークレーンの全体図である。
【図２】従来のタワークレーンのジブのあおり防止装置の図面である。
【図３】本発明のタワークレーンのジブのあおり防止装置の図面であり、（Ａ）は側面図、（Ｂ）は正面図である。
【図４】本発明のタワークレーンのジブのあおり防止装置の側面図であり、ジブが下限位置にあるときの状態を示している。
【符号の説明】
【００２３】
１      自走式タワークレーン
２      ロープ
３      ガード
ｂ      マスト
ｃ      旋回フレーム
ｄ      ジブ
【図１】
2005041675.tif 000003
【図２】
2005041675.tif 000004
【図３】
2005041675.tif 000005
【図４】
2005041675.tif 000006